(57)【要約】      （修正有）【課題】高圧開閉器をトリップさせることなく所定の試験電流を設定することができる地絡継電器試験装置を提供する。【解決手段】地絡継電器１０１が動作しない程度の予備電流を通電させる予備電圧を、地絡継電器１０１を含む外部回路１００と試験回路２００を含む模擬回路に予備電圧出力手段２が各々印加して実負荷電流値及び模擬電流値を電流検出手段４が検出し、この実負荷電流値及び模擬電流値の比率と試験電流とに基づいて試験動作前に地絡継電器１０１が動作する電流に相当する模擬動作電流を模擬動作電流演算手段５が演算し、この模擬動作電流を模擬回路に手動で操作手段９を介して試験電流調整手段８が調整して通電する際に、表示制御手段６の表示制御により表示手段７に表示される設定電流の値に基づき前記模擬動作電流で地絡継電器１０１の各動作の予備試験を行うようにした。【選択図】図１
2010043873.tif 000002
【特許請求の範囲】
【請求項１】
高圧開閉器に設置される地絡継電器の動作時間測定、位相特性測定、慣性不動作測定のうち少なくとも一つの動作試験を、予め定められた試験電流の出力値に基づいて手動で実行する試験回路を備える地絡継電器試験装置において、
前記地絡継電器が動作しない程度の予備電流を通電させる予備電圧出力手段と、
前記試験回路から地絡継電器及び高圧開閉器までの回路のうち、地絡継電器から高圧開閉器までの負荷回路を除く部分で模擬回路を形成する模擬回路形成手段と、
前記予備電圧を、負荷回路に印加すると共に、前記模擬回路に印加し、当該各試験電圧の印加により生じる各実負荷電流値と模擬電流値を検出する電流検出手段と、
前記検出された実負荷電流値及び模擬電流値の比率と前記試験電流とに基づいて設定電流を出力するため、試験動作前に地絡継電器が動作する電流に相当する模擬動作電流を演算する模擬動作電流演算手段と、
前記模擬回路に通電する模擬動作電流の調整に伴って前記比率に応じた設定電流の値の出力を制御する出力制御手段とを備えることを
特徴とする地絡継電器試験装置。
【請求項２】
高圧開閉器に設置される地絡継電器の動作時間測定、位相特性測定、慣性不動作測定のうち少なくとも一つの動作試験を、予め定められた試験電流の出力値に基づいて手動で実行する地絡継電器試験装置において、
前記地絡継電器が動作しない程度の予備電流を通電させる予備電圧出力手段と、
予め既知の値の抵抗からなる模擬回路と、
前記予備電圧を、負荷回路に印加すると共に、前記模擬回路に印加し、当該各試験電圧の印加により生じる各実負荷電流値と模擬電流値を検出する電流検出手段と、
前記検出された実負荷電流値及び模擬電流値の比率と前記試験電流とに基づいて設定電流を前記表示手段に表示するため、試験動作前に地絡継電器が動作する電流に相当する模擬動作電流を演算する模擬動作電流演算手段と、
前記模擬回路に模擬動作電流の調整に伴って前記比率に応じた設定電流の値の出力を制御する出力制御手段とを備えることを
特徴とする地絡継電器試験装置。
【請求項３】
前記請求項１又は２に記載の地絡継電器試験装置において、
前記予備電圧を負荷回路に印加して生じる実負荷電流と予備電圧との位相差を検出する位相検出手段を備え、
当該検出された位相差に基づいて地絡継電器の動作試験を行うことを
特徴とする地絡継電器試験装置。
【発明の詳細な説明】
【技術分野】
【０００１】
本発明は、地絡検出機能付き高圧開閉器と組み合わせて使用する地絡継電器の動作試験をおこなう地絡継電器試験装置に関し、特に動作試験の試験電流を手動で設定する際に、継電器を動作させないで試験電流値調整を簡易且つ確実に実行できる地絡継電器試験装置に関するものである。
【背景技術】
【０００２】
従来の地絡継電器試験装置は、手動式で試験電圧、試験電流、電圧に対する電流位相の調整を行う場合、パネル面に設けた表示の表示値を見ながら、同パネル面に設けた試験電圧発生回路、及び試験電流発生回路の増幅率調整用ボリュームのつまみを手動で調整して行う。
【０００３】
この場合従来の試験装置は、前記試験電流を行う場合、高圧開閉器と地絡電器を接続する配線に試験電流を直接流しながら調整し、設定する方法が一般的であった。
また、直接配線に流さずに試験電流を設定する方法としては特開平１１−２９５３６９号のように装置内部の定電流回路で設定した電流を外部回路に流す方法があった。
【特許文献１】特開平１１−２９５３６９号公報
【発明の開示】
【発明が解決しようとする課題】
【０００４】
従来の地絡継電器試験装置は、試験電流の設定を行う場合に、実際に高圧開閉器と地絡継電器を接続する配線に試験電流を直接流しながら調整する必要がある。この場合、各種試験の電流設定条件は地絡継電器の動作電流設定値より上限にあるため、動作電流設定値を上回る電流を流しながら試験電流を設定する必要があり（たとえば、動作電圧試験を行う場合には試験電流は地絡継電器動作電流設定値の１５０％に設定、また、慣性動作試験では地絡継電器動作電流設定値の４００％に設定する必要がある）、試験電流設定時に地絡継電器が動作してしまうという問題点があった。
【０００５】
また、直接試験電流を配線に流さずに試験電流を設定する特許文献１の場合、定電流回路で設定した電流を外部回路に流すため、試験電流設定時に地絡継電器が動作することはないが、定電流回路の特性上定電流精度を確保するためには、試験電流発生回路及び試験電流出力回路等の弱電回路の一部が高圧開閉器と地絡継電器を接続する配線に直接接続されることになり、外部ノイズ等の影響を直に受けることとなって回路破損等の懸念があった。即ち、前記定電流回路による試験電流の発生は、負荷のインピーダンスの影響を受けずに定電流を流すためには、出力電流を常に検出監視し、検出値が設定値と同じになるようにフィードバック制御が必要であるが、定電流精度を確保するためには、高速のフィードバック制御が必要なため、信号伝達遅延が発生したり、信号レベルがシフトしたりする絶縁トランス等を設けることは困難という課題を有する。
【０００６】
さらに、地絡検出機能付き高圧開閉器と組み合わせて使用する地絡継電器は、年次点検等において動作試験が実施されているが、保護機能の性格上ほとんど動作することはなく、常に監視状態で待機状態にあるため、試験１回目の動作値が重要となる。このような背景があるため、試験電流の設定については、各種試験の電流設定条件に試験電流を設定する場合に地絡継電器が動作しないようにすることが望ましい。また、高圧開閉器と地絡継電器は少なくとも１０ｍ、長い場合は３００ｍ離れてケーブルにて接続されており、このような環境で使用する試験装置はノイズ等の影響も受けやすいため試験装置出力は外部回路と絶縁することが望ましいが、この絶縁回路が加わることで正確な地絡継電器の試験を行うことができないという課題を有する。
【０００７】
本発明は、前記課題を解消するためになされたもので、高圧開閉器をトリップさせることなく所定の試験電流を設定することができる地絡継電器試験装置を提供することを目的とする。
【課題を解決するための手段】
【０００８】
本発明に係る地絡継電器試験装置は、高圧開閉器に設置される地絡継電器の動作時間測定、位相特性測定、慣性不動作測定のうち少なくとも一つの動作試験を、予め定められた試験電流の出力値に基づいて手動で実行する試験回路を備える地絡継電器試験装置において、前記地絡継電器が動作しない程度の予備電流を通電させる予備電圧出力手段と、前記試験回路から地絡継電器及び高圧開閉器までの回路のうち、地絡継電器から高圧開閉器までの負荷回路を除く部分で模擬回路を形成する模擬回路形成手段と、前記予備電圧を、負荷回路に印加すると共に、前記模擬回路に印加し、当該各試験電圧の印加により生じる各実負荷電流値と模擬電流値を検出する電流検出手段と、前記検出された実負荷電流値及び模擬電流値の比率と前記試験電流とに基づいて設定電流を出力するため、試験動作前に地絡継電器が動作する電流に相当する模擬動作電流を演算する模擬動作電流演算手段と、  前記模擬回路に通電する模擬動作電流の調整に伴って前記比率に応じた設定電流の値の出力を制御する出力制御手段とを備えるものである。
【０００９】
また、本発明に係る地絡継電器試験装置は、高圧開閉器に設置される地絡継電器の動作時間測定、位相特性測定、慣性不動作測定のうち少なくとも一つの動作試験を、予め定められた試験電流の出力値に基づいて手動で実行する地絡継電器試験装置において、前記地絡継電器が動作しない程度の予備電流を通電させる予備電圧出力手段と、予め既知の値の抵抗からなる模擬回路と、前記予備電圧を、負荷回路に印加すると共に、前記模擬回路に印加し、当該各試験電圧の印加により生じる各実負荷電流値と模擬電流値を検出する電流検出手段と、前記検出された実負荷電流値及び模擬電流値の比率と前記試験電流とに基づいて設定電流を前記表示手段に表示するため、試験動作前に地絡継電器が動作する電流に相当する模擬動作電流を演算する模擬動作電流演算手段と、前記模擬回路に模擬動作電流の調整に伴って前記比率に応じた設定電流の値の出力を制御する出力制御手段とを備えるものである。
【００１０】
また、本発明に係る地絡継電器試験装置は必要に応じて、予備電圧を負荷回路に印加して生じる実負荷電流と予備電圧との位相差を検出する位相検出手段を備え、当該検出された位相差に基づいて地絡継電器の動作試験を行うものである。
【発明の効果】
【００１１】
本発明に係る地絡継電器試験装置は、地絡継電器が動作しない程度の予備電流を通電させる予備電圧を、地絡継電器を含む負荷回路と試験回路を含む模擬回路に各々印加して実負荷電流値及び模擬電流値を検出し、この実負荷電流値及び模擬電流値の比率と試験電流とに基づいて試験動作前に地絡継電器が動作する電流に相当する模擬動作電流を演算し、この模擬動作電流を模擬回路に手動で調整して通電する際に、出力制御手段の制御により出力される設定電流の値に基づき前記模擬動作電流で地絡継電器の各動作の予備試験を行うようにしたので、予め定められる試験電流の出力値を基準として設定電流を負荷回路に実際に通電する地絡継電器の試験と同じ状態で模擬動作電流による試験回路の予備試験を行えることとなり、極めて低頻度で発生する地絡継電器の事故検出の動作試験を予め１回目の動作値を確認して検出精度を向上させることができる。
【００１２】
また、本発明に係る地絡継電器試験装置は、予備電圧を負荷回路に印加して生じる実負荷電流と予備電圧との位相差を検出する位相検出手段を備え、当該検出された位相差に基づいて地絡継電器の動作試験を行うことから、特定の位相に固定した状態で実際の試験と同じ条件で予備試験を実行できることとなり、地絡継電器の動作時間の測定、位相特性の測定及び慣性不動作の測定をいずれも正確に実行することができる。
【発明を実施するための最良の形態】
【００１３】
（本発明の第１の実施形態）
以下、本発明の第１の実施形態に係る地絡継電器試験装置を、図１ないし図４に基づいて説明する。この図１は本発明の実施形態に係る地絡継電器試験装置の全体ブロック構成図、図２は図１に記載の地絡継電器試験装置の詳細回路図及び操作パネル配置構成図、図３は図１及び図２に記載の地絡継電器試験装置の動作タイミングチャート、図４は図１に記載の地絡継電器試験装置における模擬動作電流演算手段の演算動作説明図である。
【００１４】
前記各図において本実施形態に係る地絡継電器試験装置は、高圧開閉器１０２に接続される地絡継電器１０１の動作試験を、予め設定された試験電流を手動で調整して実行するものであって、前記地絡継電器１０１が動作しない程度の予備電流を通電させる予備電圧を出力する予備電圧出力手段２と、本装置の内部回路からなる試験回路２００と、前記試験回路２００から地絡継電器１０１及び高圧開閉器１０２までの回路のうち、地絡継電器１０１及び高圧開閉器１０２までの負荷となる外部回路１００を除く試験回路２００を分離する模擬回路形成手段３と、前記予備電圧を、外部回路１００に印加すると共に、前記試験回路２００を介して模擬回路形成手段３に印加し、この各試験電圧の印加により生じる各実負荷電流値と模擬電流値を検出する電流検出手段４と、前記検出された実負荷電流値及び模擬電流値の比率と前記試験電流とに基づいて試験電流を表示するため、試験動作前に地絡継電器が動作する電流に相当する模擬動作電流を演算する模擬動作電流演算手段５と、前記試験回路２００に模擬動作電流を手動で調整して通電する際に、この調整に伴って前記比率に応じた試験電流の値の表示を制御する表示制御手段６と、この表示制御手段６の制御に基づいて試験電流の値を表示する表示手段７とを備える構成である。さらに、本実施形態に係る地絡継電器試験装置は、この表示手段７に表示された試験電流の値を参照して試験電流の値を手動で操作する操作手段９と、この手動による操作に基づいて試験回路２００及び外部回路１００へ試験電流を供給する試験電流供給手段１と、前記模擬回路形成手段３と外部回路１００との間にヒューズ等からなる保護回路３１とを備える構成である。
【００１５】
前記試験回路２００は、試験電流供給手段１及び予備電圧出力手段２からの出力を増幅する電流アンプ２０１と、この増幅された出力を絶縁して外部回路１００へ出力する絶縁トランス２０２とを備える構成である。前記模擬回路形成手段３は、絶縁トランスからの出力線に介装され、ａ側ON状態で絶縁トランスからの出力線を導通状態とすると共に、ｂ側ON状態で絶縁トランスからの出力線の両端を短絡状態とするスイッチで構成される。
また、前記表示手段７及び操作手段９は、操作パネル３００に配設される。この操作パネル３００は、電源スイッチ３０１とモード切換スイッチ３０２とが配設され、内部に試験電流調整手段８が収納される構成である。
【００１６】
前記表示手段７は、外部回路１００又は試験回路２００へ出力するための、電圧の値を表示する出力電圧表示部７１と、電流の値を表示する出力電流表示部７２と、位相の値を表示する位相表示部７３と、地絡継電器１０１の動作時間を表示する時間表示部７４とを備える構成である。また、前記操作手段９は、試験電圧、試験電流及び位相の各値を調整・設定するための各手動ボリューム９１、９２、９３を備える構成である。
【００１７】
次に、前記構成に基づく本実施形態に係る地絡継電器試験装置の動作時間測定を試験電流設定モード及び試験モードに分けて説明する。
まず、試験電流設定モードにおいて、操作手段９の開始釦３０３を操作してテスト出力を開始する。この開始釦３０３の操作により予備電圧出力手段２より予備電圧が試験回路２００を介して外部回路１００へ印加される（この時模擬回路形成手段３のスイッチはａ側ＯＮ状態となる）。
【００１８】
この試験回路２００を介して外部回路１００への通電により電流検出手段４が実負荷電流Ａｘが検出された後に、前記予備電圧出力手段２は、模擬回路形成手段３のスイッチをｂ側ＯＮ状態として絶縁トランスの出力端子間を短絡状態とし、外部回路１００と保護回路31を分離して再度試験回路２００へ予備電圧を印加し、予備電流が試験回路２００へ通電される。
【００１９】
この試験回路２００への通電により電流検出手段４が模擬電流Ａｏを検出し、この模擬電流Ａｏを模擬動作電流演算手段５へ出力する。この模擬動作電流演算手段５は、図４に示すように、入力された模擬電流Ａｏ及び実負荷電流Ａｘの比率を演算すると共に、この比率をＪＩＳ規格に基づいて設定される地絡継電器１０１の試験電流である設定試験電流Ａｘ１（（地絡動作電流設定値を0.2Ａとしたときの130％試験電流値）＝０．２６Ａ）とに基づいて模擬動作電流Ａｏ１を演算する。
【００２０】
図４において、外部回路１００と試験回路２００の合成された抵抗成分はＲｘであり、模擬回路形成手段３により絶縁トランスの出力端子間を短絡状態にした場合の試験回路２００の抵抗成分はＲｏである。この試験回路２００の抵抗成分Ｒｏに対して予備電圧Ｖｏを印加した場合に予備電流Aｏが流れる。また、外部回路１００と試験回路２００の合成された抵抗成分Ｒｘに対して予備電圧Ｖｏを印加した場合に予備電流Aｘが流れる。ここで、抵抗成分Ｒｏ、Ｒｘの電圧、電流特性が線形性をもつ関係にある。予備電流Aｏと予備電流Aｘとの比率（Ax／Ao）は、設定試験電流Ａｘ１と模擬動作電流Ａｏ１との比率 0.26A／Ao1)とが比例関係にある。この比例関係から前記模擬動作電流演算手段５は、模擬動作電流Ａｏ１を［ (Ax／Ao)×0.26A］として演算することができる。
【００２１】
このように模擬動作電流演算手段５で演算された比率（Ax／Ao）に基づき表示制御手段６の制御により表示手段７に表示される設定試験電流Ａｘ１の値を参照して試験を実行する操作者は、模擬動作電流Ａｏ１の値を操作手段９の手動操作にて調整できることとなり、試験モードで印加し、通電する試験電圧及び試験電流と同じ表示態様で設定試験電流Ａｘ１を調整して試験電流設定を実行できることとなる。
【００２２】
（本発明の第２の実施形態）
本発明に係る第２の実施形態に係る地絡継電器試験装置を図５に基づいて説明する。この図５は、本発明の第２の実施形態に係る地絡継電器試験装置の全体回路ブロック図を示す。
同図において本実施形態に係る地絡継電器試験装置は、前記第１の実施形態の地絡継電器試験装置と同様に試験電流供給手段１、予備電圧出力手段２、電流検出手段４１、４２（図１では４に相当）、模擬動作模擬動作電流演算手段５、表示制御手段６、表示手段７、試験電流調整手段８及び操作手段９を共通して備え、模擬回路形成手段３を備えておらず、地絡継電器１０１及び高圧開閉器１０２からなる外部回路１００と接続されることなく、個別独立して模擬回路２１０が接続される構成である。
【００２３】
本実施形態においては、試験電流供給手段１及び予備電圧出力手段２に外部回路１００とは別個独立して並列接続される模擬回路２１０に予備電圧Ｖｏを印加して予備電流Aｏ電流検出手段４１が検出すると共に、外部回路１００に予備電圧Ｖを印加して各予備電流Aｏ、Ａｘの比率（Ax／Ao）が模擬動作模擬動作電流演算手段５によって演算される。
【００２４】
この演算された比率（Ax／Ao）に基づいて、表示制御手段６は設定試験電流Ａｘ１の値を表示手段７に表示する。この表示手段７に表示される設定試験電流Ａｘ１の値を参照して、試験を実行する操作者は、模擬動作電流Ａｏ１の値を操作手段９の手動操作にて調整できることとなり、試験モードで印加し、通電する試験電圧及び試験電流と同じ表示態様で設定試験電流Ａｘ１を調整して試験電流設定を実行できることとなる。
【００２５】
（本発明の他の実施形態）
本発明の他の実施形態に係る地絡継電器試験装置を図６に基づいて説明する。この図６は、本発明の他の実施形態に係る地絡継電器試験装置のブロック回路構成図である。
同図において他の実施形態に係る地絡継電器試験装置は、前記図２記載の実施形態に係る地絡継電器試験装置と同様に試験電流供給手段１（図示を省略）、予備電圧出力手段２（図示を省略）模擬回路形成手段３、電流検出手段４、模擬動作模擬動作電流演算手段５、表示制御手段６、表示手段７、試験電流調整手段８、操作手段９及び試験回路２００を共通して備え、この構成に加え、外部回路１００に印加する試験電圧を測定する電圧変成器を有する電圧測定回路２０５と、この電圧測定回路２０５が測定した試験電圧及び電流検出手段４で検出された試験電流に基づいて位相を検知する位相検知回路１１と、この検知された位相に基づいて試験電流の位相を制御する位相制御回路１２とを備える構成である。
【００２６】
この電圧測定回路２０５は、電流アンプ２０１、絶縁トランス２０２と共に、試験回路２００を構成する。また、前記位相検知回路１１及び位相制御回路１２は、位相検出制御手段１０を構成する。
【００２７】
次に、前記構成に基づく他の実施形態に係る地絡継電器試験装置における地絡継電器の動作時間測定、位相特性測定、慣性不動作測定での試験動作について説明する。まず、模擬回路形成手段３のスイッチ３ａを接点ａ側へ投入して外部回路１００に接続状態とすると共に、スイッチ３ｂも投入して外部回路１００に接続状態とする。この接続状態において図示を省略する予備電圧出力手段２から電流アンプ２０１及び絶縁トランス２０２を介して予備電流を外部回路１００へ供給すると共に、電圧アンプ２０３及び絶縁トランス２０４を介して予備電圧を外部回路１００へ印加する。この予備電流の供給及び予備電圧の印加により実負荷電流・電圧を検出すると共に、これらの位相を位相検知回路１１が検出する。
【００２８】
次に、前記模擬回路形成手段３のスイッチ３ａを接点ｂ側へ投入して電源線と接地線を短絡状態とし、スイッチ３ｂを開放状態とする。この状態で予備電流を試験回路２００へ供給すると共に予備電圧を試験回路２００へ印加する。この予備電流の供給及び予備電圧の印加により模擬電流・電圧を検出すると共に、これらの位相を位相検知回路１１が検出する。
【００２９】
この検出された位相に基づいて位相制御回路１２は電圧アンプ２０１から出力する電流の位相を調整制御すると共に、前記検出された模擬電流に基づいて模擬動作電流演算手段５が予備電流Ａｏと予備電流Ａｘとの比率（Ax／Ao）及び模擬動作電流を演算して電流アンプ２０１から出力する電流値を制御する。また、前記比率（Ax／Ao）より前記各実施形態の場合と同様に表示制御手段６の制御により表示手段７に表示される設定試験電流Ａｘ１の値を参照して試験を実行する操作者は、模擬動作電流Ａｏ１の値を操作手段９を手動で操作して調整できることとなり、試験モードで印加し、通電する試験電圧及び試験電流と同じ表示態様で設定試験電流Ａｘ１を調整して試験電流設定を実行できることとなる。
【００３０】
このように、検出された位相差に基づいて地絡継電器の動作試験を行うことから、特定の位相に固定した状態で実際の試験と同じ条件で予備試験を実行できることとなり、地絡継電器の動作時間の測定、位相特性の測定及び慣性不動作の測定をいずれも正確に実行することができる。
【００３１】
なお、前記各実施の形態において表示制御手段６及び表示手段７で設定電流の値を表示する構成としたが、この設定電流を数値表示以外に、音声、信号音、グラフィック等、及びこれらの組合せの他の出力形態で出力する出力制御手段及び出力手段で構成することもできる。
【産業上の利用可能性】
【００３２】
手動設定ボリュームで試験出力電流を設定・調整する方式の地絡継電器試験装置の場合、自動的にテスト電流を流して外部回路のインピーダンスを求める手段を講じても、最終的な出力設定手段が手動式のボリュームのため、人がつまみを回すという動作が介在する。従って、前記インピーダンスを加味した設定を行う手段がなく、直接外部回路に電流を流して試験電流を設定する以外に方法がなかったが、本発明では試験電流を設定する場合は地絡継電器が動作しない程度の電流が流れるテスト電圧を印加して実際の回路に流れる電流を求め、その後電流回路出力を模擬電流回路に切替え、前記印加電圧と同じテスト電圧を印加した時に流れる電流を求め、その電流比率によって表示値を補正するようにし、その表示値を見ながら地絡継電器試験装置内部に設けた模擬電流回路に流して試験電流を設定するようにしたため、模擬電流回路に流して設定を行っても実際に外部回路に流して設定する場合と同等の試験電流を設定することが可能になる。
【００３３】
従って、年次点検等において実施される動作試験は試験１回目の動作値を確認することができるようになることから、低頻度で発生する実際の事故検出時に確実に動作するかどうかの確認が可能となって点検精度が向上するという効果がある。
【００３４】
また、本発明の場合、定電流回路を使用しない回路構成で試験電流を設定する構成のため、電流出力回路に絶縁トランスを設けることが可能となり、定電流回路構成とした場合の問題点である弱電回路の一部が高圧開閉器と地絡継電器を接続する配線に直接接続されることも防止でき、外部ノイズによる誤動作や破損等を防止できるという効果がある。
【図面の簡単な説明】
【００３５】
【図１】本発明の第１の実施形態に係る地絡継電器試験装置の全体ブロック構成図である。
【図２】図１に記載の地絡継電器試験装置の詳細回路図及び操作パネル配置構成図である。
【図３】図１及び図２に記載の地絡継電器試験装置の動作タイミングチャートである。
【図４】図１に記載の地絡継電器試験装置における模擬動作電流演算手段の演算動作説明図である。
【図５】本発明の第２の実施形態に係る地絡継電器試験装置の全体回路ブロック構成図である。
【図６】本発明の他の実施形態に係る地絡継電器試験装置の全体回路ブロック構成図である。
【００３６】
１      試験電流供給手段
２      予備電圧出力手段
３      模擬回路形成手段
３ａ    スイッチ
３ｂ    スイッチ
４      電流検出手段
５      模擬動作電流演算手段
６      表示制御手段
７      表示手段
６      表示制御手段
７      表示手段
８      試験電流調整手段
９      操作手段
１０    位相検出制御手段
１１    位相検知回路
１２    位相制御回路
３１    保護回路
４１    電流検出手段
４２    電流検出手段
７１    出力電圧表示部
７２    出力電流表示部
７３    位相表示部
７４    時間表示部
９１    手動ボリューム
１００  外部回路
１０１  地絡継電器
１０２  高圧開閉器
２００  試験回路
２０１、２１１  電流アンプ
２０２、２１２  絶縁トランス
２０３  電圧アンプ
２０４  絶縁トランス
２０５  電圧測定回路
２１０  模擬回路
３００  操作パネル
３０１  電源スイッチ
３０２  モード切換スイッチ
３０３  開始釦
３０４  停止釦
Ａｏ    模擬電流
Ａｏ１  模擬動作電流
Ａｘ    実負荷電流
Ａｘ１  設定試験電流
Ｒｏ    抵抗成分
Ｒｘ    抵抗成分
Ｖ      予備電圧
Ｖｏ    予備電圧
ａ      接点
ｂ      接点
【図１】
2010043873.tif 000003
【図２】
2010043873.tif 000004
【図３】
2010043873.tif 000005
【図４】
2010043873.tif 000006
【図５】
2010043873.tif 000007
【図６】
2010043873.tif 000008